Podtech/llm-jp-corpus-v4-ja_patent huggingface dataset:
(57)【要約】【課題】扉を開いたとき庫内温度上昇を防ぎ、強制循環される冷気により収容食品の乾燥、変色、変質を防止した業務用大型冷蔵庫を提供する。【解決手段】冷蔵庫１０の上部奥に蒸発器１１と送風機１２が設置され、蒸発器１１で発生した冷気は庫内の天地、左右および後面に配設されたダクト１３を通じて強制循環するが、扉１４の裏面にもダクト１３ｂ  が一体に設けられ天地、左右のダクト１３と扉の裏側のダクト１３ｂ  とが接する部分には連通口１５が開けられ、扉が閉じられたとき冷気は扉１４の裏側のダクト１３ｂ  にも流れるようになる。本体側の連通口１５にはドラム形ブロワー１６が設置され、強制的に扉の裏側に設けたダクト１３ｂ  に冷気が送り込まれるようになり、扉を開くとエアーカーテンとして作用する。【選択図】  図１
2004225938.tif 000002
【特許請求の範囲】
【請求項１】
庫内の蒸発器から発生する冷気を送風機により強制循環させる業務用冷蔵庫において、庫内の少なくとも天地、左右および後面に冷気循環用のダクトを配設するとともに、扉の裏面にもダクトを設け、扉が閉じたとき、上記配設したダクトと上記扉の裏側に設けたダクトとが連通状態となるようにしたことを特徴とする業務用大型冷蔵庫。
【請求項２】
上記冷蔵庫内面に配設されたダクトと、扉の裏側に設けたダクトとの連通部分の本体側に送風機を配設したことを特徴とする業務用大型冷蔵庫。
【発明の詳細な説明】
【０００１】
【発明の属する技術分野】
この発明は、扉を開いたときは冷蔵庫本体の開口部でエアーカーテンが作用し、扉を閉じたときは扉の裏面を含む六面から冷却する冷気強制循環型の業務用冷蔵庫に関する。
【０００２】
【従来の技術】
業務用大型冷蔵庫の庫内を天地、左右、前後の６面から冷却するものの先行技術として次の特許文献１がある。
【０００３】
【特許文献１】
特開２００１−２４８９４９号公報（要約）
【０００４】
【発明が解決しようとする課題】
上記特許文献１の先行技術は図２に示すように「物品収納室２内の温度斑が軽減でき、かつ棚３上の食材の乾燥が抑制される冷気強制循環式の貯蔵庫１を提供する手段として、開閉扉４の閉状態において、エアーカーテンを停止し冷気供給孔５から冷気を供給し、開閉扉４の開状態においては、冷気供給孔からの冷気供給に加えてエアーカーテンを形成し、物品収納室２内の風速をほぼ０．５ｍ／ｓｅｃ  とするものである。」
【０００５】
上記先行技術は、扉を開いたときはエアーカーテンが作用し、閉じたときは０．５ｍ／ｓｅｃ  の風速で冷気を強制循環するところに特徴があると認められる。
【０００６】
しかし、扉の裏側（庫内側）は図面で明らかなように冷気が循環するダクトがなく、それがために扉の裏側の温度は他の部分より高くなり、また強制循環される冷気が収容食品に直接あたり、その部分での乾燥が著しく、収容食品の変色・変質がひどくなる問題がある。
【０００７】
上記の問題に鑑みこの発明は、扉を開いたときは冷蔵庫の開口部でエアーカーテンが作用し、扉を閉じたときは扉の裏側の温度が、他の内面（天地、左右、後の内面）と同等になるようにし、かつ、強制循環される冷気が収容食品に直接あたらないようにして収容食品の乾燥、変色、変質を防止した業務用大型冷蔵庫を提供することを課題とする。
【０００８】
【課題を解決するための手段】
上記課題を解決するめためにこの発明は、庫内の蒸発器から発生する冷気を送風機により強制循環させる業務用冷蔵庫において、庫内の少なくとも天地、左右および後面に冷気循環用のダクトを配設するとともに、扉の裏面にもダクトを設け、扉が閉じたとき、上記配設したダクトと上記扉の裏側に設けたダクトとが連通状態となるようにした（請求項１）ものであり、上記冷蔵庫内面に配設されたダクトと、扉の裏側に設けたダクトとの連通部分の本体側に送風機を配設した（請求項２）ものである。
【０００９】
上記の如く構成するこの発明によれば、冷蔵庫の扉を閉じたときは扉の裏側に本体側のダクトに連通するダクトが設けられているので、庫内は天地、左右および前後の六面から均一に冷却され、強制循環する冷気が収容食品に直接あたらないので乾燥、変色、変質を抑制することができ、扉を開いたときはエアーカーテンの作用で庫内の温度上昇が防止される。
【００１０】
【発明の実施の形態】
次にこの発明の実施の形態を図面を参照しながら説明する。図１に示すように、冷蔵庫１０の上部奥に蒸発器１１と送風機１２が設置され、蒸発器１１で発生した冷気は庫内の天地、左右および後面に配設されたダクト１３を通じて強制循環するが、扉１４の裏面にもダクト１３ｂ  が一体に設けられ天地、左右のダクト１３と扉の裏側のダクト１３ｂ  とが接する部分には連通口１５が開けられ、扉が閉じられたとき冷気は扉１４の裏側のダクト１３ｂ  にも流れるようになる。
【００１１】
また、本体側の連通口１５にはドラム形ブロワー１６が設置され、強制的に扉の裏側に設けたダクト１３ｂ  に冷気が送り込まれるようになっている。
【００１２】
図に表しているように庫内を上段、下段に区画するときは区画部分にもダクト１３を設け、扉１４の裏側のダクト１３ｂ  と連通状にし、ドラム形ブロワー１６を設けている。
【００１３】
上記業務用大型冷蔵庫１０は、扉１４を閉じた状態では、蒸発器１１で発生した冷気は、冷蔵庫１０の天地、左右、後面に設けたダクト１３と扉の裏側に設けられたダクト１３ｂ  を循環して庫内を均等に冷却する。
【００１４】
また、扉の裏面の温度上昇を抑え、かつ、強制循環する冷気が収容食品に直接あたることがないので乾燥、変色、変質が抑えられ、扉を開いたときはエアーカーテンの作用で庫内の温度上昇を防ぐことができる。
【００１５】
【発明の効果】
以上説明した通りこの発明によれば、冷蔵庫の扉を閉じたときは扉の裏側に本体側のダクトに連通するダクトが設けられているので、庫内は天地、左右および前後の六面から均一に冷却され、強制循環する冷気が収容食品に直接あたらないので乾燥、変色、変質を抑えられ、扉を開いたときはエアーカーテンの作用で庫内の温度上昇を防ぐことができる。
【図面の簡単な説明】
【図１】この発明に係る冷蔵庫の（ａ）縦断面図、（ｂ）横断面図
【図２】従来技術に係る冷蔵庫の縦断面図
【符号の説明】
１０  冷蔵庫
６，１１  蒸発器
７，１２  送風機
８，９，１３  ダクト（本体側の）
１３ｂ    ダクト（扉裏側の）
１４  扉
１５  連通口
１６  ドラム形ブロワー
【図１】
2004225938.tif 000003
【図２】
2004225938.tif 000004
(57)【要約】【構成】金属線材を撚り合わせて形成したワイヤーを樹脂などで被覆した被覆ワイヤーにおいて、表面から例えば彩色模様のように変化に富んだ適宜の模様が透けて見えるようして、ワイヤーが持つ単調さを脱却させ、目新しく新規性に富んだワイヤーを提供できるようにする。【構成】金属線材を撚り合わせて形成したワイヤー主体１の外周を適宜な下地材２でコーティングし、この下地材の外周に任意の模様を施した模様シート３を貼り合わせ、さらに模様シートの外周を透明な樹脂材４で被覆して、この樹脂材４を透かして上記模様を外から見えるように構成したことを特徴とする被覆ワイヤーである。【選択図】        図１
2004225163.tif 000002
【特許請求の範囲】
【請求項１】
金属線材を撚り合わせて形成したワイヤー主体の外周を適宜な下地材でコーティングし、この下地材の外周に任意の模様を施した模様シートを貼り合わせ、さらに模様シートの外周を透明な樹脂材で被覆して、この樹脂材を透かして上記模様を外から見えるように構成したことを特徴とする被覆ワイヤー。
【請求項２】
前記下地材には塩化ビニールあるいはポリプロピレンを用いてワイヤー主体の外周に被覆成形し、前記模様シートには着色模様をラミネートした塩化ビニールシートまたはホログラムシート、あるいは、それぞれ模様を印刷したテトロンフィルムまたはポリエステルフィルムを用い、前記樹脂材には透明または半透明の塩化ビニールまたはＰＥＴを用いたことを特徴とする請求項１記載の被覆ワイヤー。
【発明の詳細な説明】
【０００１】
【産業上の利用分野】
本発明は、例えばワイヤー錠用のワイヤーなどとして用いられるようにした被覆ワイヤーに関し、金属線材を撚り合わせて形成したワイヤー主体の外周に模様シートを貼り合わせて、透明な樹脂で被覆することにより、外層の樹脂を透かして表面上に模様が透けて見えるようにしたことを特長とするものである。
【０００２】
【従来の技術】
従来の被覆ワイヤーには、撚り合わせたワイヤーの外表面を透明な着色樹脂層で被覆して、樹脂層を透かしてワイヤーの地色が見えるようにしたものがある（例えば、特許文献１参照）。
また、カラー着色したワイヤーとしては、ワイヤーの外周にカラーリボンを巻き付けて溶着させるようにしたカラー装飾線材もある（例えば、特許文献２参照）。
また、硬鋼線束の表面を、カーボンブラックを含有するポリエチレン製の基材で被覆し、該基材の表面に、下地層と塗膜層の２層からなる着色層をコーティングするようにしたものもある（例えば、特許文献３参照）。
上記した従来のワイヤーは、何れもワイヤーを単色で無模様の着色層で被覆したものであったので、製品の外見が単調で趣に乏しく、美的な感覚に欠けているという欠点があった。
【０００３】
【特許文献１】
特許第２８２９１３８号公報  （第１頁、図１）
【特許文献２】
特開２００２−４２５７９号公報  （第１頁、図１）
【特許文献３】
特公平６−７４５５３号公報  （第１頁、図１）
【０００４】
【発明が解決しようとする課題】
以上のことから本発明が解決しようとする課題は、この種の被覆ワイヤーにおいて、表面から例えば彩色模様のように変化に富んだ適宜の模様が透けて見えるようして、ワイヤーが持つ単調さを脱却させ、目新しく新規性に富んだワイヤーが提供できるようにすることにある。
【０００５】
【課題を解決するための手段】
そこで本発明は、金属線材を撚り合わせて形成したワイヤー主体の外周を適宜な下地材でコーティングし、この下地材の外周に任意の模様を施した模様シートを貼り合わせ、さらに模様シートの外周を透明な樹脂材で被覆して、この樹脂材を透かして上記模様を外から見えるように構成したことを特徴とする被覆ワイヤーを提供するものである。
【０００６】
上記のように構成した本発明被覆ワイヤーは、最外層を形成する樹脂材を透してワイヤー主体に貼り合わせた模様シートが表面から透かして見える。そのため、色彩の単調さから一様に感覚されていた従来の着色被覆ワイヤーに比べて趣があり、美的感覚に富んだ目新しいワイヤー製品を提供できる。
また、本発明被覆ワイヤーに目新しさを与える模様シートは、外層を樹脂材で被覆されているので褪色とか汚れが少なく耐久性も優れている。以上のようにして本発明は前記の課題を解決したものである。
【０００７】
【実施例】
以下に、本発明の実施例を図面について説明する。
図１は、実施例の一部切欠斜視図である。
【０００８】
図において、１は、多数本の金属線材を撚り合わせて形成したワイヤー主体、２は、ワイヤー主体１の外周にコーティングした下地材、３は、下地材２の外周に貼り合わせた模様シート、４は、模様シート３の外周を被覆した透明な樹脂材である。
【０００９】
この実施例において、下地材２には、やや硬めの樹脂例えば塩化ビニールとかＰＴＥを使用し、押し出し成形機を用いて芯にしたワイヤー主体１を被覆成形した。
また、模様シート３には、任意の着色模様をラミネートした塩化ビニールシートまたはホログラムシート、あるいはそれぞれ模様を印刷したテトロンフィルム、ポリエステルフィルムを用い、外層を形成する樹脂材４には透明の塩化ビニールかまたはＰＥＴの使用が好適する。なお、この樹脂材４は本発明の目的に沿って表面から模様シート３が透かして見えるものであれば半透明でも良く、無色透明に限らない。
さらに、模様シート３に施す模様は、図示の場合、流水模様を表わしているが、製品の用途に応じてキャラクター、動、植物、幾何学模様などの図形から適宜に選択できることはいうまでもない。
【００１０】
図示した実施例は、製作上の容易性、耐久性を考慮した本発明の好ましい態様を示すものであって、本発明の実施に際して、例えばワイヤー主体１と下地材２、下地材２と模様シート３、模様シート３と樹脂材４とのコーティング、被覆方法とか、被覆材の素材の選択などは、本発明の要旨に沿って適宜に設計変更し得ることはいうまでもない。
【００１１】
【発明の効果】
前記のように構成した本発明によれば、外層を形成する樹脂材を透してワイヤー主体に貼り合わせた模様シート（模様）が表面から透かして見える。そのため、色彩の単調さから一様に感覚されていた従来の着色被覆ワイヤーに比べて趣があり、美的感覚に富んだ目新しいワイヤー製品を製作できる。
また、本発明被覆ワイヤーに目新しさを与える模様シートは、外層を樹脂材で被覆されているので褪色とか汚れが少なく、意図した模様の美的耐久性にも優れているという効果がある。
【図面の簡単な説明】
【図１】図１は、実施例の一部切欠斜視図である。
【符号の説明】
１  ワイヤー主体
２  下地材
３  模様シート
４  樹脂材
【図１】
2004225163.tif 000003
(57)【要約】【課題】予め登録した電場番号を持つ携帯電話等からの発信を受けて、発信者番号の照合によって玄関ドア等の施錠、開錠を行う従来型のシステムでは、通話用の電話回線の他に電子錠制御専用の電話回線または電話番号が必要となることや、携帯電話をバッグ等に入れておきバッグ内の荷物と干渉してボタンが押されてしまい、意図せずに電子錠制御用電話番号に電話がかかってしまい、電子錠が空いてしまう等の根本的な問題点があった。【解決手段】施錠開錠する電子錠の近辺にスイッチを設け、このスイッチを押しながらあるいは押した後一定時間内に電話をかけた場合にのみ、電話番号照合を行う方式とすることにより、ひとつの電話番号を通話用と電子錠制御用と兼用することを可能とし、さらにスイッチを押すことで鍵をあけることの意思確認が行えるため、バッグ内での偶然の発信による開錠といった事故を防止することが可能となった。【選択図】図２
2004225287.tif 000002
【特許請求の範囲】
【請求項１】
予め電話番号を設定しその電話番号を記憶する番号記憶手段と、電話回線に接続され電話着信時に発信者番号通知信号から発信者番号を抽出し該番号記憶手段に記憶されている番号と照合する番号判定手段と、電気信号で施錠開錠が行える電子錠と、電子錠周辺に配置された検出器と、電話着信時に該番号判定手段の照合結果が一致しかつ検出器の状態が非通常状態である条件が成立する場合に該電子錠に制御信号を出力するとともに電話回線に切断信号を発生する制御手段とから構成される電子錠制御システム
【発明の詳細な説明】
【０００１】
【発明の属する技術分野】
本発明は、携帯電話から例えば家庭の電話に発信し、発信者番号通知を利用して、あらかじめ記憶している番号と照合し、一致している場合には玄関扉等に設置した電子錠を開錠することで防盗性を高めるもので、専用の電話回線を用意することなく、通話用の電話回線でこれを実現する技術に関するものである。
【０００２】
【従来の技術】
従来の技術としては例えば、特開２００１−１３２２９２があり、これを図１に基づいて説明する。
【０００３】
２は電話回線であり電子錠２０を開錠するための専用の電話番号が付与されている。専用の電話回線を敷設しそれに付与された電話番号を用いる方法と、既に敷設された電話回線に追加の電話番号を付与しこれを利用する形でもよい。携帯電話（図示しない）で電子錠２０を開錠するために専用の電話回線に付された電話番号に発信すると、番号判定部１３は携帯電話からの発信者番号通知信号から抽出した発信者番号と番号記憶部１２にあらかじめ記憶された電話番号を照合し一致していればオン信号を制御部１４に出力する。制御部１４はこの信号を受けると電子錠２０に対して開錠信号を出力し、電子錠がひらく。発信者番号と番号記憶部１２０にあらかじめ記憶された電話番号が一致していなければ電子錠２０は開錠されない。
【０００４】
【発明が解決しようとする課題】
従来例では、通話用の電話回線の他に電子錠制御専用の電話回線または電話番号が必要となることや、携帯電話をバッグ等に入れておきバッグ内の荷物と干渉してボタンが押されてしまい、意図せずに電子錠制御用電話番号に電話がかかってしまい、電子錠が空いてしまう等の根本的な問題点があった。
【０００５】
【課題を解決するための手段】
本発明は、施錠開錠する電子錠の近辺にスイッチを設け、このスイッチを押しながらあるいは押した後一定時間内に電話をかけた場合にのみ、電話番号照合を行う方式とすることにより、ひとつの電話番号を通話用と電子錠制御用と兼用することを可能とし、さらにスイッチを押すことで鍵をあけることの意思確認が行えるため、バッグ内での偶然の発信による開錠といった事故を防止することが可能となった。
【０００６】
【発明の実施の形態】
以下、図２を用いて本発明の実施例を説明する。この例では、携帯電話で電子錠を開錠する例を示すが、施錠することに使っても同様である。また、施錠されている状態を開錠する、開錠されている状態を施錠するといった反転することでも同様である。利用者は携帯電話（図示しない）から、電話回線２に割り当てられた電話番号宛に発信者番号通知をオンにして発信する。この時、電子錠２０を開錠させる目的であれば、ＳＷ４０を押してから発信する。ＳＷ判定部は、ＳＷ４０が押されてから一定時間（例えば１０秒間）は制御部３４にＯＮ信号を出力する。番号判定部３３は携帯電話からの発信者番号通知信号から抽出した発信者番号と番号記憶部３２にあらかじめ記憶された電話番号を照合し一致していればオン信号を制御部３４に出力する。制御部３４はＳＷ判定部３５からの信号がオンであり、かつ番号判定部３３からの信号がオンであるときに電子錠２０を開錠する。またこの時、電話回線２に切断信号を出力し、通話状態への移行を行わせなくする。
【０００７】
ＳＷ判定部３５からの信号と番号判定部３３からの信号の少なくとも一方がオフの場合には、制御部３４は電子錠２０の開錠信号は出力せず、電話回線をそのまま電話接続用端子３６に接続する。電話接続用端子３６には一般の電話機５０が接続されているので、この電話機５０の呼出し音が鳴動し、受話器を取り上げれば、発信者と通常の通話が可能となる。
【０００８】
上記実施例では、電話機５０と番号記憶部３２、番号判定部３３、制御部３６、ＳＷ判定部３５を別装置にしたが、電話機にこれらの全てあるいは一部を内蔵させても良い。また、上記例ではＳＷを押してから一定時間内はＳＷ判定部が出力信号をｏｎとする構成としたが、利用者がＳＷ押している間だけ出力信号をｏｎとする構成としても同等の効果があげられる。さらに押しボタンスイッチではなく、センサースイッチなどのｏｎ／ｏｆｆを利用者がその意図によって出力信号を切り替えられるものであれば、その実施様態は問わない。
【０００９】
さらに、上記のＳＷを呼び鈴のボタンと兼用することで、呼び鈴が押されたことで来客が分かり、実際の視認やモニター画面を通じて来客者を確認後、呼び鈴を押した後一定時間（例えば１０秒間）の間に登録した携帯電話からこの家に電話することで、家の中の玄関から離れたところから遠隔操作で玄関の施開錠を制御することも可能となる。
【００１０】
なお、上記の実施例では、一般家庭の玄関の鍵の制御を例に説明したが、駐車場のゲートの開閉に応用し、ゲート前に車両を検知するセンサーを設置し、センサー信号がｏｎのときに予め記憶された番号の携帯電話からの受信があったときにゲートを開閉するような実施例も考えられる。
【００１１】
【発明の効果】
本発明は、施錠開錠する電子錠の近辺にスイッチを設け、このスイッチを押しながらあるいは押した後一定時間内に電話をかけた場合にのみ、電話番号照合を行う方式とすることにより、ひとつの電話番号を通話用と電子錠制御用と兼用することを可能とし、さらにスイッチを押すことで鍵をあけることの意思確認が行えるため、バッグ内での偶然の発信による開錠といった事故を防止することが可能となる。
【００１２】
【図面の簡単な説明】
【図１】従来例
【図２】本発明の実施例
【符号の説明】
２：電話回線            ３０：制御装置
３２：番号記憶部          ３３：番号判定部
３４０：スイッチ判定部          ３５：制御部
２０：電子錠          ４０：スイッチ
５０：電話機
【図１】
2004225287.tif 000003
【図２】
2004225287.tif 000004
(57)【要約】【課題】畳の製造過程において、イグサと平行な端部（框側）で、イグサが縦糸と平行な方向に抜けることが多い。これを軽減するため、熱可塑性樹脂製の模造イグサの場合、裁断した後、端部を熱こて等でイグサを溶融させて固着する、接着剤で固着する等の方法がとられてきた。しかしながら、熱でイグサを融着する方法では、イグサ同士は固着できるが内部の縦糸（通常、綿糸）とは固定されていないため、固着されたイグサ数本が一緒に抜ける。【解決手段】熱可塑性樹脂製の模造イグサを織って構成した畳表であって、用いる縦糸が該模造イグサとほほ融点が等しい熱可塑性樹脂製の紐状体であるもの。【選択図】  図１
2004225282.tif 000002
【特許請求の範囲】
【請求項１】
熱可塑性樹脂製の模造イグサを織って構成した畳表であって、用いる縦糸が該模造イグサとほほ融点が等しい熱可塑性樹脂製の紐状体であることを特徴とする模造イグサ畳表。
【請求項２】
該紐状体は、該模造イグサとほぼ同じ色である請求項１記載の模造イグサ畳表。
【請求項３】
該紐状体は、該模造イグサそのものである請求項２記載の模造イグサ畳表。
【請求項４】
請求項１記載の模造イグサ畳表の框側端部に熱コテ又は超音波により模造イグサと共に縦糸を溶融させることを特徴とするイグサ接合法。
【発明の詳細な説明】
【０００１】
【発明の属する技術分野】
本発明は、模造イグサ畳表及びイグサ接合法に関するものである。
【０００２】
【従来の技術】
畳表は従来から天然イグサで織られてきたが、ダニの問題等から熱可塑性樹脂で構成される模造イグサが最近使用され始めてきている。
畳表は、所定の寸法に裁断し、それを畳床やシートに縫着するかタック止めされている。このとき、イグサと直交する辺（通常、縁のある側）ではイグサが抜けることはない。
【０００３】
しかし、イグサと平行な端部（框側）においては、イグサが縦糸と平行な方向に抜けることが多い。先端のイグサが抜け落ちると、それにともなって次々と抜けるか、また抜けなくともイグサ間の間隔が広がり緩むこととなる。所謂コシが小さく弾性を有する模造イグサの場合にはこの傾向が強いのである。
【０００４】
これを軽減するため、熱可塑性樹脂製の模造イグサの場合、裁断した後、端部を熱こて等でイグサを溶融させて固着する、接着剤で固着する等の方法がとられてきた。
【０００５】
【発明が解決しようとする課題】
しかしながら、熱でイグサを融着する方法では、イグサ同士は固着できるが内部の縦糸（通常、綿糸）とは固定されていないため、固着されたイグサ数本が一緒に抜ける。
また、接着方式は手間がかかるだけでなくコストアップになる。更に、イグサがポリエチレンやポリプロピレンが主材の場合、接着性が悪く効果も小さい。
【０００６】
【課題を解決するための手段】
以上のような状況に鑑み、本発明者は鋭意研究の結果本発明模造イグサ畳表及びイグサ接合法を完成させたものであり、その特徴とするところは、畳表にあっては、熱可塑性樹脂製の模造イグサを織って構成した畳表であって、用いる縦糸が該模造イグサとほほ融点が等しい熱可塑性樹脂製の紐状体である点にあり、接合法にあっては、請求項１記載の模造イグサ畳表の框側端部に熱コテ又は超音波により模造イグサと共に縦糸を溶融させる点にある。
【０００７】
熱可塑性樹脂製の模造イグサは、熱可塑性樹脂で製造されたものであればよく、その製法は問わない。例えば、樹脂を薄いフィルム状にし、それを渦巻き状やランダムにし紐状にしたものや、発泡させた紐状のもの、その他どのようなものでもよい。
【０００８】
また、熱可塑性樹脂も特別なものである必要はない。混合物でも、コポリマーでもよい。また、コシや外観、耐候性等の性状向上のため種々の添加剤を加えてもよい。例えば、炭カル、顔料、紫外線吸収剤等である。
【０００９】
模造イグサの融点も融解し固着できる温度という意味であり、低分子でいう厳密な融点ではない。この融点とほぼ等しい熱可塑性樹脂製の紐状体とは、使用する模造イグサと同じ材質でなくとも融点が近ければよいという考え方である。
従来の縦糸は綿糸や麻糸であり、相当の高温にしても融点はなく融着自体しないものであった。
【００１０】
例えば、模造イグサがポリエチレン主剤であれば、百数十℃で融着は可能であり、縦糸もこの程度のものを用いるということである。簡単なのは、イグサと雄ネジ材質で構成した縦糸を用いることである。
【００１１】
また、この縦糸を模造イグサと同じ色にすることも有益である。融着したときに目立たないだけでなく、イグサ間の隙間から色の違う縦糸が見えて目立つことも少ないためである。従来の綿糸や麻糸ではコスト的に無理であるが、イグサと同じ材質の熱可塑性樹脂製のものであれば簡単である。
【００１２】
更に、単に熱可塑性樹脂製の縦糸では太さが不足するだけでなく、強度的に問題がある場合、模造イグサそのものを用いることができる。即ち、横糸（緯糸）として織って使用する模造イグサと同じものを縦糸としても使用するのである。ただし、長さは異なることは当然である。
【００１３】
緯糸は通常１ｍ前後であるが、縦糸は連続の長尺状のものであることが必要である。よって、模造イグサを製造する際、プラスチックであるため通常は連続体として製造し、適当な長さに裁断しているのであるが、それを裁断せず長いロール巻き保管して使用すればよい。
また、同じイグサであっても、太さだけを少し加減してもよい。例えば、少し細くして縦糸専用とする等である。
【００１４】
イグサ接合法は、本発明畳表を熱又は超音波によって融解させるだけでよく、後は自動的に融着できる。このような縦糸も同時に融解させるという考えは、従来にはまったくなく新規なものである。融解もイグサ全体でなく、縦糸付近のみにしてもよい。超音波の場合には、特にこのような操作が容易である。
【００１５】
【発明の実施の形態】
以下図面に示す実施の形態に基づいて、本発明をより詳細に説明する。
図１は、本発明畳表１の１例を示す一部破断した部分平面図である。熱可塑性樹脂製の模造イグサ２が緯糸であり、同じ模造イグサを縦糸３に使用している。この例の模造イグサは、熱可塑性樹脂を薄いテープ状にし、それを収束形成したものであり、特開昭６３−２７４５３３号や特開平１−９２４４３号に記載のものを利用したものである。
【００１６】
縦糸も緯糸も同じものであるため当然融点は同じである。この図の最下部４は、ヒーターを当て緯糸を溶融させた部分である。同時に縦糸５も溶融し混合融着している。これで完全に一体化しているため、従来のような縦糸から抜けるということはない。
【００１７】
【発明の効果】
本発明畳表には次のような大きな利点がある。
（１）  縦糸と緯糸がほぼ同じ融点であるため、融着が簡単でほぼ完全に固着できる。
（２）  縦糸として緯糸と同じ模造イグサを用いた場合、固着がより確実であるばかりか、畳の山、谷がしっかりでき見かけも優れた畳表になる。
（３）  更に、色も同じであればイグサ間隙から白い縦糸が見えず美観も優れている。
【図面の簡単な説明】
【図１】本発明畳表の１例を示す一部破断した部分平面図である。
【符号の説明】
１  本発明畳表
２  模造イグサ
３  縦糸
４  融解部
５  縦糸融着部
【図１】
2004225282.tif 000003
(57)【要約】【課題】本発明は、夏の暑いときとか、運動時等の着用際しても蒸れを少なくして陰金の発症を抑え、股ずれを起こし難くし、爽快感のよいパンツを提供しようとするものである。【解決手段】パンツ本体の裏側上縁部に、少なくとも男性性器を覆う大きさの補助パンツの上縁部を逢着し、補助パンツの前側には穴をあけて陰茎を突出自在としたものである。【選択図】  図１
2004225228.tif 000002
【特許請求の範囲】
【請求項１】
パンツ本体の裏側上縁部に、少なくとも男性性器を覆う大きさの補助パンツの上縁部を逢着し、補助パンツの前側には穴をあけて陰茎を突出自在としたパンツ。
【発明の詳細な説明】
【０００１】
【産業上の利用分野】
本発明は男性における陰金の発症を予防し、爽快感の優れたパンツに関する。
【０００２】
【従来の技術及びその欠点】
従来男性のパジャマのズボンや下着としてのパンツは前側を開閉自在としているが、これらは何れも男性の陰嚢と陰茎を一緒に覆う構造となっている。然しこれらは夏の暑いときとか、運動時においては蒸れ易く陰金の発症を促したり、股ずれを起こしやすい等の欠点がある。尚本願ではパジャマのズボンもパンツに含まれるものとして説明する。
【０００３】
【発明が解決しようとする課題】
そこで本発明は、夏の暑いときとか、運動時等の着用際しても蒸れを少なくして陰金の発症を抑え、股ずれを起こし難くし、爽快感のよいパンツを提供しようとするものである。
【０００４】
【問題点を解決するための手段】
本発明は、パンツ本体の裏側上縁部に、少なくとも男性性器を覆う大きさの補助パンツの上縁部を逢着し、補助パンツの前側には穴をあけて陰茎を突出自在としたものである。
【０００５】
本発明を図示の実施例により詳記すると、パンツ本体１の裏側の上縁部２に男性性器を覆う大きさの補助パンツ３の上縁部４を逢着し、補助パンツ３の前側には穴５をあけて陰茎を突出自在としたものである。補助パンツ３の両足の相通する口縁６はゴムひもを挿通したり、伸縮布を用いたりして伸縮自在とし、フィットするようにするとよい。
【０００６】
【作用】
本発明は以上のようになるもので、これを使用するには、両足を補助パンツ３の口縁６に足を挿通し、穴５に陰茎を通して補助パンツ３とパンツ本体１の間に出し、着用する。
【０００７】
【効果】
本発明は叙上のように、パンツ本体の裏側上縁部に、少なくとも男性性器を覆う大きさの補助パンツの上縁部を逢着し、補助パンツの前側には穴をあけて陰茎を突出自在としたので、陰嚢と陰茎は各々が独立した状態で下着と密着するので蒸れが少なく、陰金の発症を可及的に少なくすることができるばかりか、殊に夏季での着用に際しては蒸れが少なく爽快感がある。
【図面の簡単な説明】
【図１】本発明パンツの正面説明図。
【符号の説明】
１はパンツ本体
２はパンツ本体の上縁部
３は補助パンツ
４は補助パンツの上縁部
５は穴
６は口縁
【図１】
2004225228.tif 000003
(57)【要約】【課題】汚物の後始末を簡便なものとすると共に、汚物を収容した袋の開口部を、簡単かつ確実に閉じるようにして、衛生的に処理できるようにした使い捨て手袋を提供する。【解決手段】袋体の先端部に各指が挿入可能な指部を連設してなる柔軟性素材からなる使い捨て手袋であって、袋体の開口部に一対の結束片を延設するという手段を採用した。具体的には、二枚重ねにしたポリエチレンシートを手形に裁断し、開口部を残して周縁を加熱溶着することで指部を有する袋体を形成した。また、袋体の構成素材に抗菌性または殺菌性を付与した。【選択図】  図１
2004225225.tif 000002
【特許請求の範囲】
【請求項１】
袋体の先端部に各指が挿入可能な指部を連設してなる柔軟性素材からなる使い捨て手袋であって、袋体の開口部に一対の結束片を延設したことを特徴とする使い捨て手袋。
【請求項２】
二枚重ねにしたポリエチレンシートを手形に裁断し、開口部を残して周縁を加熱溶着することで指部を有する袋体を形成した請求項１記載の使い捨て手袋。
【請求項３】
構成素材に抗菌性または殺菌性を付与した請求項１または請求項２に記載の使い捨て手袋。
【発明の詳細な説明】
【０００１】
【発明の属する技術分野】
この発明は、特に犬や猫の糞などの汚物を処理した後、清潔に廃棄できるようにした使い捨て手袋に関するものである。
【０００２】
【従来の技術】
犬や猫などのペットを屋外で散歩させる場合、多くの飼い主はマナーとして、散歩途中でペットが排泄した糞を始末するために、紙やビニール袋などを携行している。このとき、紙の場合はともかく、ビニール袋を利用する場合は、袋を裏返しにした状態で手にかぶせ、袋の上から糞をつかみ、袋を表向きに返して袋内に糞を収容するようにしている。
【０００３】
しかしながら、裏返したビニール袋の内側からでは、指先が動かし難いので、糞をつかみにくいという問題があった。
【０００４】
このため、糞などの汚物をつかみやすく、また、袋を裏返しやすいようにするため、例えば特許文献１や特許文献２に示すような、汚物処理用手袋が提案されている。このうち、特許文献１に示されたものは、大きく開口する手入れ部の先端に、各指に対応する指挿入部を連設した可撓性シート材からなる手袋であって、前記各指挿入部の付け根の間に前記手入れ部に連設する水掻き部を設けたものである。また、特許文献２に示されたものは、手挿入のための開口部の周囲の長さが手の甲に当たる部分の周囲の長さより大で、汚物をつかんだまま、開口部から裏返しながら剥ぎ取ることが可能な手袋である。
【０００５】
【特許文献１】
特開平１１−２９２０１号公報
【特許文献２】
特開２０００−６４１０８号公報
【０００６】
【発明が解決しようとする課題】
しかし、上述した従前の手袋は、開口部が広いため、汚物をつかみ裏返した後の開口部を閉じるのが困難であった。即ち、開口部全体を束ね、そのままくくるなどして袋を閉じる必要があり、面倒であった。
【０００７】
本発明は、上記実情に鑑み発明されたものであって、汚物の後始末を簡便なものとすると共に、汚物を収容した袋の開口部を、簡単かつ確実に閉じるようにして、衛生的に処理できるようにしたものである。
【０００８】
【課題を解決するための手段】
上述した課題を解決するために、本発明は、袋体の先端部に各指が挿入可能な指部を連設してなる柔軟性素材からなる使い捨て手袋であって、袋体の開口部に一対の結束片を延設するという手段を採用した。
【０００９】
具体的には、二枚重ねにしたポリエチレンシートを手形に裁断し、開口部を残して周縁を加熱溶着することで指部を有する袋体を形成した。
【００１０】
かかる構成の使い捨て手袋は、開口部から手を入れて装着することで、指部に各指が入り、指を自由に動かして汚物をつかむことができると共に、結束片を持って簡単に裏返すことができる。その上で結束片を互いに結び合わせれば、手を汚すことなく簡単に開口部を閉塞でき、衛生的に汚物を処理できるものである。
【００１１】
また、袋体の構成素材に抗菌性または殺菌性を付与することで、より衛生的となる。
【００１２】
【発明の実施の形態】
以下、本発明に係る使い捨て手袋の好ましい実施形態を図面に従って説明する。図１において、１はポリエチレン製シートからなる袋体であって、その先端に手の各指が挿入可能な指部２、２・・を連設している。また、袋体１の開口部３の左右両端には所定長さで細幅の一対の結束片４、４を延設している。
【００１３】
この使い捨て手袋は、例えばポリエチレンシートを二つ折りまたは二枚重ねにした上で図示したような手形に裁断し、開口部を残して周縁を加熱溶着して得ることができる。但し、これに限定されるものではなく、裏返し可能な柔軟性のあるシート材を手袋状に形成すると共に、その開口部に一対の結束片を延設したものであればよい。
【００１４】
上記手袋の使用方法について述べると、まず、開口部３から袋体１に手を挿入し、各指をそれぞれの指部２に挿し入れて、手袋を装着する。このとき、指先が自由に動くので、汚物を容易につかみ取ることができる。
【００１５】
次に、汚物をつかんだまま、袋体１を開口部３側から裏返し、指部２から指を抜き出し、図２に示すように汚物Ｆを包み込んだ袋状とする。このとき、結束片４を持って袋体１を裏返すことにより、容易に裏返すことができる。
【００１６】
次いで、左右の結束片４、４を互いに結び合わせれば、開口部３は確実に閉塞でき、そのまま衛生的に廃棄することができる。
【００１７】
なお、手袋の素材は特に限定するものではないが、裏返しが容易なように柔軟性に富む素材が適しており、また、焼却してもダイオキシンなどの有害物質を発生することがなく、或いは生分解性に富む、環境に配慮した素材が好ましい。さらに、表面に抗菌性ないし殺菌性を付与することによって、より衛生的に汚物の処理ができる。
【００１８】
また、本発明に係る手袋は、ペットの糞の始末だけでなく、台所の生ゴミの処理や、病人、乳幼児などの汚物の処理、医療現場における汚物の処理など、極めて広い範囲で利用することができる。
【００１９】
【発明の効果】
以上述べたように、本発明に係る使い捨て手袋は、袋体の開口部に結束片を延設したものであるから、この結束片を持って、袋体を容易に裏返すことが可能であると共に、結束片を結び合わせることで、汚物を収容した袋体の開口部を簡単かつ確実に閉塞することが可能となったものである。そのため、汚物に直接手を触れることなく、各種汚物の処理を極めて衛生的に行うことができる。
【００２０】
また、袋体には指部を設けているので、指先を自由に動かすことができ、汚物をつかみ取りやすくなり、非常に使い勝手のよいものとなっている。
【図面の簡単な説明】
【図１】本発明に係る使い捨て手袋の平面図である。
【図２】使い捨て手袋を裏返した状態を示す斜視図である。
【符号の説明】
１    袋体
２    指部
３    開口部
４    結束片
【図１】
2004225225.tif 000003
【図２】
2004225225.tif 000004
(57)【要約】【課題】従来手袋は、手を覆うだけの物であるため、指先がだんだん冷たくなってしまう。どんなに手を覆う素材に断熱性を与えても、外部電源を利用すること無しに、指先を温めることはできなかった。【解決の手段】人体の余った熱を利用し、通常の手袋で指先まで温める、人体版コジェネレーションシステムを応用するものである。手のひらは、熱の排出を担う器官であるため、体温に比べて、多少あたたかくなっている。この排熱的な手のひらの熱を指先に伝えることにより、外部電源無しに手袋内を一定の温度に保ち指先まで温める。手袋内の手のひらのあたる部分に、熱伝達物質を充填した物質を縫いつけ、手のひらの熱を指に逃がし、熱を指に伝える。【選択図】  図１【特許請求の範囲】
【請求項１】
手袋（１）内部下面にあたる手のひら部分に、熱伝達作用のある充填物質（３）を充填したフィルム素材（２）を縫いつけたサポータタイプの手袋であり、手袋の補助保温を行う装備。保温の方式に、人体によるコジェネレーション（人体から出る排熱を再利用する技術）を利用。
【発明の詳細な説明】
【０００１】
【発明の属する技術分野】
指先の保温性を高めるための手袋用補助保温装備、及び人体の熱を効率良く利用する人体版コジェネレーションシステムに関するものである。
【０００２】
【従来の技術】
従来手袋は、手を覆うだけの物であり、熱を効率良く利用していないために、指先が冷たくなってしまう。どんなに手を覆う素材に断熱性を与えても、外部電源を利用すること無しに、指先を温めることはできなかった。特に、スキーやバイクと言った指を曲げて物を掴んだ状態を長く続ける場合、指先の温度低下ははなはだしい。
【０００３】
【発明が解決しようとする課題】
外部電源を利用すること無しに、人体版コジェネレーションを利用して、手袋内の指先を温め、指先温度を一定に保つこと。指先を曲げた状態でも同様の効果を得ること。
【０００４】
【課題を解決するための手段】
人体の余った熱を利用し、通常の指ポケットが５本ある手袋で指先まで温める、人体版コジェネレーションシステムを応用するものである。
人の手は、指が長いため冷えやすい。しかし、指は、手を握ることにより、指を効率良く温めることができる。これは、握ることにより手のひらの熱を指先に伝えることができるためである。この熱伝達効果を手袋に応用するのが本件の目的である。もともと、手のひらは、熱の排出を担う器官であるため、体温に比べて、多少あたたかくなっている。排熱を利用するコジェネレーションシステムに例えれば、手のひらの熱は排熱にあたる。従って、手のひらの熱を多少冷却しても、問題無く、それどころか返って好都合である。この余った熱を指先に伝えることにより、より快適に手袋の保温率を上げることができ、指先まで一定の温度に保つことができる。人体の熱を効率良く利用するシステムの発明でもあり、本件はその応用品にあたる。手袋内の手のひらのあたる部分に、熱伝達物質を充填した物質を縫いつけ、手のひらの熱を指に逃がし、熱を指に伝える。
【０００５】
【発明の実施の形態】
手袋（１）内部下面の手のひらがあたる部分に熱伝導性の良い物質（３）を充填したフィルム素材（２）を縫いつけ、手袋をはめると常に熱伝達素材（２）が手のひらにあたるようにする。手のひらで余った熱は、熱伝達素材（２）（３）を通して吸収され、蓄熱され、指先まで導かれ、指先を一定の温度に保つ。手にピッタリフィットするサポータタイプにする。
【０００６】
【実施例】
充填物質（３）には、熱伝導性のある物質が充填できる。充填物質にジェル、空気、金属特性物質などが入れられる。手袋の形状は、分離型インナーの他、一体型手袋にも適応できる。
【０００７】
【発明の効果】
指先の自由度が高い、従来の手の型をした密閉型の手袋で、補助電源無しに指先まで万便なく温めることができ、温度を一定に保てる。更に、インナーを分離することで、既存の手袋でも同様の効果が得られる。勿論、一体型にすれば更にスマートに温められる。また、手のひらの安全性を高める効果（ショックの吸収性）もある。外気温が低ければ低い程、指先の保温効果が高くなる。指を曲げた状態を長く続けても指先が冷えなくなる。充填物質（３）に呼気を直接利用した場合、フィット性、コジェネレーション性の効果がより高くなり、保温効果がより高くなる。
【図面の簡単な説明】
【図１】本発明の斜視図である。ただし、手袋の表裏は裏返しの図。
【図２】本発明の一部を切り欠いた側面図である。
【符号の説明】
１  サポータタイプの手袋
２  充填物質を封入するフィルム素材
３  充填物質
【図１】
2004225234.tif 000002
【図２】
2004225234.tif 000003
(57)【要約】      （修正有）【課題】必要時にのみ容易に医療従事者と患者の間にスクリーンをおき、院内感染を予防することを目的とした。【解決手段】袖と透明プラスチックの窓を付けた布または不織布をフック付のひもでつり上げて患者と医療従事者の間を遮蔽する。【選択図】  図１
2004225232.tif 000002
【特許請求の範囲】
【請求項１】
袖と透明プラスチックの窓を付けたスクリーン
【発明の詳細な説明】
【００１】
【発明の属する技術分野】
この発明は、院内感染を予防するために袖と透明プラスチックの窓を付けたスクリーンに関するものである。
【００２】
【従来の技術】院内感染を予防するために、院内感染の源となる感染巣の処置時には、マスク、ガウン、帽子、手袋が必要となる。従来は、患者の処置前に、いちいちこれらを着用していたが、煩雑であり、時間もかかり、日常業務が滞っていた。結果的に、このような操作が完全に行われず、マスク、ガウン、帽子を着用せずに処置が行われ院内感染が起こっていた。
【００３】
【発明が解決しようとする課題】
本発明は、患者の感染巣の処置時に、容易に装着できて院内感染防止効果が得られることを課題として研究をすすめた。
【００４】
【課題を解決するための手段】
着用を短時間で行うために、医療従事者にガウンやマスク、帽子を着用するのではなく、患者と医療従事者の間にスクリーンを置くことを考えた。スクリーンに透明プラスチックの窓と袖を付ける。医療従事者は、この袖から手を入れ、手袋を着用して、観察、処置を行えるように工夫した。使用後は患者側を内側にして周囲を汚染させないようにスクリーンを丸め、マジックテープで固定する。このまま、ベッド周囲のカーテンレールにぶら下げておくことにした。よって、使用時にはマッジックテープを剥がすと直ちに使用できる。
【０００５】
【発明の実施の形態】
本発明を実行するために、固定はカーテンレールを使用することにして２本のフック付のひもを取り付けた。作業する医療従事者によって袖口の高さを変えられるようにつり下げひもの長さに余裕を持たせ、調節できるようにした。また、医療従事者が白衣を着たままでも余裕を持って腕を入れられるように袖口は２０ｃｍと大きくした。窓は、曇りや反射を防ぐために界面活性剤処置をした塩化ビニールを使用した。医療従事者よりも患者が下方に横たわることが多いので、窓の位置は医療従事者の前胸部までとした。使用しないときには、確実に丸め、周囲を汚染ささないように、マジックテープを付けた。
【００６】
【発明の効果】
本品を使用することによって、感染巣の処置の準備時間が短縮され、さらに、周囲への汚染が減少する。また、忙しさにかまけて、ガウンやマスク、帽子を着用しないで処置を行う機会が減少し、院内感染対策手技が確実に守られるようになる。また、本品は病棟にとどまらず、歯科、動物病院、老人介護施設、また、医療現場にとどまらず、汚染を伴う作業に広く応用できる。
【図面の簡単な説明】
【図１】本発明の全体図
【図２】患者側を内側にして丸める
【図３】マジックテープでまとめる
【図４】縛りこんで固定する
【符号の説明】
（１）はつり下げ用のフック
（２）はつり下げひもの高さを調節するプラスチック板
（３）は作業動作を調節するゴム
（４）は塩化ビニール板
（５）は作業用袖
（６）は固定用の紐
（７）は固定用のマジックテープ
（８）は袖口のゴム
【図１】
2004225232.tif 000003
【図２】
2004225232.tif 000004
【図３】
2004225232.tif 000005
【図４】
2004225232.tif 000006
(57)【要約】【課題】型枠を解体した後の床仕上げ精度を高めることができる型枠支保工を提供することである。【解決手段】型枠支保工２は、垂直に組み立てられた型枠１を支持するものであり、垂直状に設置されるアンカーナット４と、該アンカーナット４に傾斜してねじ込まれたサポート体５と、該サポート体５の先端部に取り付けられた止め具６とからなり、前記サポート体５は伸縮自在な構成である。【選択図】    図１
2004225293.tif 000002
【特許請求の範囲】
【請求項１】
垂直に組み立てられた型枠を支持するものであり、垂直状に設置されるアンカーナットと、該アンカーナットに傾斜してねじ込まれたサポート体と、該サポート体の先端に取り付けられた止め具とからなり、前記サポート体は伸縮自在であることを特徴とする型枠支保工。
【発明の詳細な説明】
【０００１】
【発明の属する技術分野】
本発明は型枠支保工に関するものである。
【０００２】
【従来の技術】
垂直に組み立てられた型枠を支持する支保工として、例えば特開２００２−３６４１７０号公報のものが知られている。この支保工は梁型枠の側板を支持するものであるが、共同住宅のバルコニーにおける手摺り部の型枠２１は、図４に示すような支保工２２で支持されている。この支保工２２は、一方側をスラブ型枠２３の底板に設置して手摺り部の型枠２１を支持している。そして、手摺り部の型枠２１とスラブ型枠２３のコンクリート２４が硬化した後に、前記支保工２２をスラブ２５の上面で切断している。
【０００３】
【特許文献１】
特開２００２−３６４１７０号公報（図１）
【０００４】
【発明が解決しようとする課題】
しかし、上記の手摺り部の型枠を支持する支保工は、型枠内のコンクリートが硬化した後に、支保工のパイプ周りの押さえが悪くてスラブの上面で切断しているため、その切断箇所の補修が必要となり、その補修精度、すなわち床仕上げ精度を高めることができなかった。
【０００５】
本発明はこれらの問題に鑑みてなされたものであり、その目的は、型枠を解体した後の床仕上げ精度を高めることができる型枠支保工を提供することである。
【０００６】
【課題を解決するための手段】
以上の課題を解決するための型枠支保工は、垂直に組み立てられた型枠を支持するものであり、垂直状に設置されるアンカーナットと、該アンカーナットに傾斜してねじ込まれたサポート体と、該サポート体の先端部に取り付けられた止め具とからなり、前記サポート体は伸縮自在な構成である。
【０００７】
スラブ型枠の底板に設置されたアンカーナットに傾斜してねじ込まれたサポート体で手摺り部の型枠が支持される。そして、型枠内のコンクリートの硬化後に、サポート体を回転させてアンカーナットから取り外すと、スラブの上面にはサポート体の取付孔が形成されるので、この取付孔に仕上げコンクリートを充填するだけで、床仕上げ精度が高められる。
【０００８】
【発明の実施の形態】
以下、本発明の型枠支保工の実施の形態を図面に基づいて詳細に説明する。型枠支保工は２つの実施の形態があり、図１は第１の実施の形態、図２は第２の実施の形態をそれぞれ示し、各実施の形態において同じ構成は同じ符号を付して説明し、異なる構成は異なった符号を付して説明する。
【０００９】
図１はバルコニーの手摺り部の型枠１を支持した第１の実施の形態の型枠支保工２であり、この型枠支保工２は、スラブ型枠３の底板に設置したアンカーナット４と、このアンカーナット４に傾斜してねじ込まれたサポート体５と、該サポート体５の先端部に取り付けられた止め具６とから構成されている。
【００１０】
アンカーナット４は基板７の上面に設置された垂直状の袋ナット８と、基板７の下面に設置された固定ナット９とから構成され、この固定ナット９に底板の裏側から止めボルト１０がねじ込まれてスラブ型枠３に設置されている。
【００１１】
サポート体５は袋ナット８にねじ込まれた折れボルト１１を備えた外筒１２と、該外筒１２にねじ込まれた内筒１３とからなり、該内筒１３は回転させると外筒１２から飛び出したり、あるいは外筒１２に入り込んだりしてサポート体５の長さ調整をする。
【００１２】
また内筒１３の先端部には型枠を押さえ付ける止め具６がねじ込まれ、該止め具６の把持具１４が横木１５を把持している。
【００１３】
また図２は第２の実施の形態の型枠支保工２０であり、この型枠支保工２０はサポート体５が折れボルト１１の折曲部１１ａで折れ曲げ自在、すなわち自由に回転して型枠への取付角度を変えることができるものであり、これ以外は第１の実施の形態の型枠支保工２と同じ構成である。なおこの回転により止め具６も折曲部６ａで自在に回転できるようになっている。このようにサポート体５を折れ曲げ自在にしたことにより、高さの異なる型枠にも簡単に対応することができる。
【００１４】
次に、第１の実施の形態の型枠支保工２の解体について説明する。はじめに、図３に示すように、型枠１、３のコンクリート１６が硬化した後、手摺り部の型枠１を解体するとともに、サポート体５の内筒１３における止め具６を撤去して、サポート体５がアンカーナット４にねじ込まれた状態にする。次に、このサポート体５を、矢印のように回転させてアンカーナット４から取り外すと、スラブ１７の上面にはサポート体５の取付孔１８が残ったままになる。
【００１５】
次に、このスラブにおける取付孔１８にモルタル１９を充填して床仕上げをすると、その仕上げ精度が高められる。このようにサポート体５の取り外しと床仕上げとが簡単にできる。
【００１６】
【発明の効果】
型枠を解体した後の床仕上げ精度を高めることができる。またサポート体がアンカーナットに傾斜してねじ込まれているため、回転しやすく取り外しも簡単にできる。
【図面の簡単な説明】
【図１】第１の実施の形態の型枠支保工であり、（１）は型枠に設置した型枠支保工の正面図、（２）はアンカーナットの平面図、（３）はサポート体の正面図である。
【図２】第２の実施の形態の型枠支保工の正面図である。
【図３】（１）はサポート体をアンカーナットから取り外すスラブの断面図、（２）はサポート体をアンカーナットから取り外したスラブの断面図である。
【図４】従来の型枠支保工を設置した型枠の断面図である。
【符号の説明】
１、２１  手摺り部の型枠
２、２０、２２  型枠支保工
３、２３  スラブ型枠
４  アンカーナット
５  サポート体
６  止め具
６ａ、１１ａ  折曲部
７  基板
８  袋ナット
９  固定ナット
１０  止めボルト
１１  折れボルト
１２  外筒
１３  内筒
１４  把持具
１５  横木
１６、２４  コンクリート
１７、２５  スラブ
１８  取付孔
１９  モルタル
【図１】
2004225293.tif 000003
【図２】
2004225293.tif 000004
【図３】
2004225293.tif 000005
【図４】
2004225293.tif 000006